(57)【特許請求の範囲】
【請求項１】
側壁部と、複数の底壁分割板から構成される底壁部と、前記底壁部の上面に当接自在とした補強板と、前記補強板を係止する係止片とから成る容器本体と、前記容器本体と別体とした、上壁部と、側壁部とから成る容器蓋体とから構成される包装用容器であって、
前記容器本体の側壁部は、厚肉紙製の矩形状を呈する板材であり、
前記容器本体の底壁部は、対向する同一形状の２つの薄肉紙製の底壁分割板から構成され、前記底壁分割板は各々、その周辺を隣接する２つの前記容器本体の側壁部に固着してあると共に、その周辺の頂点からその斜辺にかけて折曲線を形成してあり、
前記容器本体の補強板は、厚肉紙製の板材であり、載置部と端片部とから成り、前記端片部は、前記容器本体の側壁部の内側面に固着してあると共に、前記載置部と前記端片部との境界部には折曲線を形成してあり、
前記容器本体の係止片は、厚肉紙製の板材であり、前記容器本体の側壁部の内側面に固着してあり、
前記底壁分割板を平坦にし、前記容器本体の補強板を倒伏させ、前記底壁分割板の上面に当接させることによって、容器本体を組み立て、使用状態とすることができ、
前記容器本体の補強板を起立させ、前記底壁分割板を折り畳み、前記底壁分割板の底面同士を当接させ、前記容器本体の側壁部の内面同士を密接させることによって、容器本体を扁平状として、容器本体を輸送又は保管状態とすることができることを特徴とする包装用容器。
【請求項２】
前記底壁分割板は、その斜辺の中点から一端にかけて当接片を形成してあり、底壁分割板を平坦にした状態において、一方の底壁分割板の斜辺の近傍領域に他方の底壁分割板の前記当接片が当接するものであることを特徴とする請求項１に記載の包装用容器。
【請求項３】
前記包装用容器は、平面から見て正方形状又は長方形状を呈する包装用容器であることを特徴とする請求項１又は２に記載の包装用容器。
【請求項４】
前記包装用容器は、平面から見て六角形状を呈する包装用容器であって、前記容器本体の底壁部を構成する底壁分割板として、さらに、対向する２つの前記容器本体の側壁部にその周辺を固着すると共に、その中間に折曲線を形成した底壁分割板を配設したことを特徴とする請求項１に記載の包装用容器。
【発明の詳細な説明】
【技術分野】
【０００１】
本発明は、特に、仏事、祭事、祝事、行楽等の際に、米飯、料理等を収容して弁当として提供するために使用する包装用容器に関するものである。
【背景技術】
【０００２】
一般に、仏事、祭事、祝事、行楽等の際に、米飯、料理等を収容して弁当として提供するために使用する包装用容器は、底壁部及び側壁部から成る矩形状の厚紙製の容器本体と、上壁部及び側壁部から成る矩形状の厚紙製の容器蓋体とから構成されている。
この包装用容器においては、仕切壁を形成した合成樹脂製の内側容器を容器本体内に配置し、その内側容器内の適宜個所に米飯、料理を盛り付けた後、容器蓋体によって容器本体を被覆して提供している。
【０００３】
一方、この包装用容器を料理屋、仕出屋等に輸送する際には、容器本体と容器蓋体とを分離し、各々を積み重ねた状態で輸送していた。又、料理屋、仕出屋等においては、容器本体と容器蓋体とを分離し、各々を積み重ねた状態で保管していた。
又、料理屋、仕出屋等から弁当を購入した消費者は、容器本体と容器蓋体とを分離し、そのままの形態で、又は押し潰して、ゴミ袋、ゴミ箱等に投入して、廃棄するようにしていた。
【０００４】
しかし、包装用容器を容器本体と容器蓋体とに分離し、各々を積み重ねた状態で輸送したり、保管したりするのでは、非常に嵩張るために、場所を取ることになり、輸送コスト、保管コストが高くならざるを得なかった。
又、容器本体と容器蓋体とに分離し、そのままの形態で、又は押し潰して、ゴミ袋、ゴミ箱等に投入して、廃棄する場合にあっても、非常に嵩張るために、廃棄業者が取り扱い難いと共に、ゴミ収集車両に収容できる分量も少なくならざるを得なかった。
【０００５】
そこで、対向する側壁を底壁を介して連結した主箱体部と、側壁に半割底壁を連結した副箱体部とから成り、主箱体部の側壁の溝部と副箱体部の側壁の溝部とを嵌合することによって、容器本体を構成するものが提案されている（特許文献１参照）。
又、容器本体の底壁を開閉可能とし、側壁に折曲線を形成し、底壁を開放した後に、側壁を折曲線を介して容器本体内側に折り畳み、以下、他の側壁も順次折り畳むことによって、容器本体を折り畳むようにしたものが提案されている（特許文献２参照）。
【０００６】
これら包装用容器によれば、輸送時、保管時には、容器本体を展開し、又は折り畳んで扁平状態にすることができるから、多数積み重ねてもそれ程嵩張らず、場所を取ることもないから、輸送コスト、保管コストを低減することができる。
又、廃棄時にも、容器本体を展開し、又は折り畳んで扁平状態にすることができるから、ゴミ袋、ゴミ箱等に投入しても、それ程嵩張ることはなく、廃棄業者が取り扱い易いと共に、ゴミ収集車両に収容できる分量も多くなる。
【先行技術文献】
【特許文献】
【０００７】
【特許文献１】実開平０５−０２６８１２号公報
【特許文献２】実用新案登録第３１５１７４１号公報
【発明の概要】
【発明が解決しようとする課題】
【０００８】
しかし、特許文献１に記載の包装用容器にあっては、主箱体部と副箱体部との嵌合を解除して分解した後に、主箱体部と副箱体部を展開するものであるから、組み立て、又は展開するのが面倒であり、作業にも時間がかかった。
又、特許文献２に記載の包装用容器にあっては、先ず、ファスナー等による係止を解除して底壁を開放した後に、側壁を折曲線を介して容器本体の内側に折り畳むものであるから、やはり、組み立て、又は折り畳むのが面倒であり、作業にも時間がかかった。
【０００９】
本発明は、かかる問題点に鑑みて為されたものであって、その目的とするところは、  極めて簡単な操作によって容器本体を組み立て、又は折り畳むことができ、よって、作業に時間がかからない包装用容器を提供することにある。
【課題を解決するための手段】
【００１０】
上記目的を達成するために、本発明の包装用容器は、側壁部と、複数の底壁分割板から構成される底壁部と、前記底壁部の上面に当接自在とした補強板と、前記補強板を係止する係止片とから成る容器本体と、前記容器本体と別体とした、上壁部と、側壁部とから成る容器蓋体とから構成される包装用容器であって、
前記容器本体の側壁部は、厚肉紙製の矩形状を呈する板材であり、
前記容器本体の底壁部は、対向する同一形状の２つの薄肉紙製の底壁分割板から構成され、前記底壁分割板は各々、その周辺を隣接する２つの前記容器本体の側壁部に固着してあると共に、その周辺の頂点からその斜辺にかけて折曲線を形成してあり、
前記容器本体の補強板は、厚肉紙製の板材であり、載置部と端片部とから成り、前記端片部は、前記容器本体の側壁部の内側面に固着してあると共に、前記載置部と前記端片部との境界部には折曲線を形成してあり、
前記容器本体の係止片は、厚肉紙製の板材であり、前記容器本体の側壁部の内側面に固着してあり、
前記底壁分割板を平坦にし、前記容器本体の補強板を倒伏させ、前記底壁分割板の上面に当接させることによって、容器本体を組み立て、使用状態とすることができ、
前記容器本体の補強板を起立させ、前記底壁分割板を折り畳み、前記底壁分割板の底面同士を当接させ、前記容器本体の側壁部の内面同士を密接させることによって、容器本体を扁平状として、容器本体を輸送又は保管状態とすることができることを特徴とする。
【００１１】
前記底壁分割板は、その斜辺の中点から一端にかけて当接片を形成してあり、底壁分割板を平坦にした状態において、一方の底壁分割板の斜辺の近傍領域に他方の底壁分割板の前記当接片が当接するものであることが好ましい。
【００１２】
前記包装用容器は、平面から見て正方形状又は長方形状を呈する包装用容器であってもよい。
【００１３】
又、前記包装用容器は、平面から見て六角形状を呈する包装用容器であって、前記容器本体の底壁部を構成する底壁分割板として、さらに、対向する２つの前記容器本体の側壁部にその周辺を固着すると共に、その中間に折曲線を形成した底壁分割板を配設したものであってもよい。
【発明の効果】
【００１４】
本発明の包装用容器によれば、輸送時、保管時には、容器本体を折り畳んで扁平状態にすることができるから、多数積み重ねてもそれ程嵩張らず、場所を取ることがないから、輸送コスト、保管コストを低減することができる。
さらに、本発明の包装用容器によれば、極めて簡単な操作によって、容器本体を折り畳むことができ、又、容器本体を組み立てることができるから、作業に時間がかからず、極めて便利である。
【図面の簡単な説明】
【００１５】
【図１】本発明の包装用容器の一実施形態の正面図である。
【図２】図１に示す包装用容器の平面図である。
【図３】図１に示す包装用容器の底面図である。
【図４】図１に示す包装用容器の正面縦断面図である。
【図５】図１に示す包装用容器内に内側容器を挿入した状態における正面縦断面図である。
【図６】図１に示す包装用容器の容器本体の正面図である。
【図７】図６に示す容器本体の平面図である。
【図８】図６に示す容器本体において、補強板を起立させた状態における平面図である。
【図９】図６に示す容器本体の斜視図である。
【図１０】図６に示す容器本体において、補強板を起立させた状態における斜視図である。
【図１１】図６に示す容器本体において、底壁部分割板を折り畳む途中の状態における斜視図である。
【図１２】図６に示す容器本体において、底壁部分割板を折り畳んだ状態における正面図である。
【図１３】図１２におけるＡ−Ａ線断面図である。
【図１４】本発明の包装用容器の容器本体の他実施形態の平面図である。
【図１５】図１４に示す容器本体において、底壁部分割板を折り畳んだ状態における正面図である。
【図１６】本発明の包装用容器の容器本体の他実施形態の平面図である。
【図１７】図１６におけるＢ−Ｂ線断面図である。
【図１８】図１６に示す容器本体において、底壁部分割板を折り畳んだ状態における正面図である。
【図１９】図１８におけるＣ−Ｃ線断面図である。
【発明を実施するための形態】
【００１６】
以下、本発明の包装用容器の好適な実施形態について、図面を参照しつつ詳細に説明する。
図１は、本発明の包装用容器の一実施形態の正面図、図２は、同・平面図、図３は、同・底面図、図４は、同・正面縦断面図、図５は、同・内側容器を挿入した状態における正面縦断面図である。
【００１７】
包装用容器１は、図１乃至５に示すように、平面から見て正方形状を呈し、容器本体２と容器蓋体３とから構成される。
【００１８】
容器本体２は、図６乃至１０に示すように、薄肉紙製の底壁部４、厚肉紙製の側壁部５，５，５，５、厚肉紙製の補強板６，厚肉紙製の係止片７とから構成される。
【００１９】
底壁部４は、図８に示すように、同一形状の２つの薄肉紙製の底壁分割板８，８から構成されている。
【００２０】
底壁分割板８は、図８に示すように、略二等辺三角形状を呈する薄肉板であって、周辺９，９は、側壁部５，５に固着してあり、周辺９の頂点９ａから斜辺１０の中点１０ａにかけて折曲線１１を形成してある。
又、斜辺１０の中点１０ａから一端１０ｂにかけて当接片１２を形成してあり、底壁分割板８，８を平旦にした状態では、図８に示すように、一方の底壁分割板８の斜辺１０の近傍領域に他方の底壁分割板８の当接片１２が当接するようになっている。
【００２１】
補強板６は、図７に示すように、略長方形状を呈する厚肉板であって、載置部１３と端片部１４とから成り、端片部１４は、側壁部５の内側面に固着してあり、載置部１３と端片部１４との境界部には折曲線１５を形成してある。
【００２２】
係止片７は、図８に示すように、略長方形状を呈する厚肉板であって、側壁部５の内側面に固着してある。
【００２３】
容器蓋体３は、図１及び２に示すように、上壁部１６、側壁部１７，１７，１７，１７とから構成される。
【００２４】
包装用容器１は、使用時には、図７及び９に示すように、底壁分割板８，８を平旦にした状態とすると共に、補強板６を倒伏させた状態とする。そして、図４に示すように、補強板６の先端部を係止片７の下端面に当接して、補強板６を固定する。
この状態では、一方の底壁分割板８の斜辺１０の近傍領域に他方の底壁分割板８の当接片１２が当接していると共に、底壁分割板８，８の上面に補強板６が当接した状態となっている。
【００２５】
この状態で、図５に示すように、容器本体２内に内側容器１８を挿入し、補強板６上に載置すれば、通常の弁当用容器として使用することができる。
ここで、容器本体２の底壁部４は補強板６によって補強されているから、内側容器１８を載置しても、その重量に十分に耐えることができ、底壁部４が開放されて、下方に落下することはない。
【００２６】
一方、輸送時、保管時には、図１２に示すように、補強板６を起立させた状態とすると共に、底壁分割板８，８を折り畳んだ状態とする。
この状態では、底壁分割板８の底面同士が当接していると共に、隣接する側壁部５，５の内面同士も密接した状態となっている。
【００２７】
この状態で、図１２に示すように、容器本体２は折り畳まれて、扁平状となっているから、積み重ねられても、嵩張ることはない。
【００２８】
以上のように、本発明の包装用容器１によれば、輸送時、保管時には、容器本体２を折り畳んで扁平状にすることができるから、多数積み重ねてもそれ程嵩張らず、場所を取らないから、輸送コスト、保管コストを低減することができる。
又、廃棄時にも、容器本体２を折り畳んで扁平状にすることができるから、ゴミ袋、ゴミ箱等に投入しても、それ程嵩張らず、廃棄業者が取り扱い易いと共に、ゴミ収集車両に収容できる分量も多くなる。
【００２９】
さらに、本発明の包装用容器１によれば、補強板６を起立させ、底壁分割板８，８を折り畳むという極めて簡単な操作によって、容器本体２を折り畳むことができ、底壁分割板８，８を平旦な状態とし、補強板６を倒伏させるという、極めて簡単な操作によって、容器本体２を組み立てることができるから、作業に時間がかからず、極めて便利である。
【００３０】
本発明の包装用容器は、平面から見て正方形状を呈するものに限らず、図１４に示すように、平面から見て長方形状を呈する包装用容器３１であってもよい。
【００３１】
この包装用容器３１の容器本体３２にあっては、底壁分割板３８，３８の形状が略直角三角形状を呈する薄肉板となり、各底壁分割板３８，３８の折曲線４１，４１は同一直線上とならないが、他の構成は、包装用容器１の容器本体２におけると同様である。
そして、この包装用容器３１の容器本体３２においても、使用時には、図１４に示すように、箱体状にすることができ、輸送時、保管時には、図１５に示すように、扁平状にすることができる。
【００３２】
本発明の包装用容器は、又、図１６に示すように、平面から見て六角形状を呈する包装用容器５１であってもよい。
【００３３】
この包装用容器５１の容器本体５２にあっては、底壁分割板５８Ａ，５８Ａの形状が略菱形状を呈する薄肉板となり、底壁分割板５８Ｂの形状が略長方形状を呈する薄肉板となり、当接片１２に相当するものは存在しないが、他の構成は、包装用容器１の容器本体２におけると同様である。
そして、この包装用容器５１の容器本体５２においても、使用時には、図１６に示すように、箱体状にすることができ、輸送時、保管時には、図１８に示すように、扁平状にすることができる。
【００３４】
本発明の包装用容器は、以上説明した通りであるが、本発明の趣旨を逸脱しない限りにおいて、種々変形した形態のものが考えられるが、これらも本発明の範囲に含まれること勿論である。
【符号の説明】
【００３５】
１  包装用容器
２  容器本体
３  容器蓋体
４  底壁部
５  側壁部
６  補強板
７  係止片
８  底壁分割板
９  周辺
９ａ  頂点
１０  斜辺
１０ａ  中点
１０ｂ  一端
１１  折曲線
１２  当接片
１３  載置部
１４  端片部
１５  折曲線
３１  包装用容器
３２  容器本体
３４  底壁部
３５Ａ  側壁部
３５Ｂ  側壁部
３６  補強板
３７  係止片
３８  底壁分割板
４１  折曲線
４２  当接片
５１  包装用容器
５２  容器本体
５４  底壁部
５５  側壁部
５６  補強板
５７  係止片
５８Ａ  底壁分割板
５８Ｂ  底壁分割板
６１Ａ  折曲線
６１Ｂ  折曲線
【図１】
0006001257.tif 000002
【図２】
0006001257.tif 000003
【図３】
0006001257.tif 000004
【図４】
0006001257.tif 000005
【図５】
0006001257.tif 000006
【図６】
0006001257.tif 000007
【図７】
0006001257.tif 000008
【図８】
0006001257.tif 000009
【図９】
0006001257.tif 000010
【図１０】
0006001257.tif 000011
【図１１】
0006001257.tif 000012
【図１２】
0006001257.tif 000013
【図１３】
0006001257.tif 000014
【図１４】
0006001257.tif 000015
【図１５】
0006001257.tif 000016
【図１６】
0006001257.tif 000017
【図１７】
0006001257.tif 000018
【図１８】
0006001257.tif 000019
【図１９】
0006001257.tif 000020